(57)【要約】【課題】  面倒を感ずることなく、寒冷刺激を定量的、持続的に与え得る冷点刺激装置を提供する。【解決手段】  パッド基体４に生体の冷点を冷却するためのペルチェ素子８を有する冷却パッド部５と、腰部を温めるための放熱パッド部６とを備え、制御部１２からのペルチェ素子８への通電により、ペルチェ素子８の熱交換作用による冷却熱をパッド７を介して冷点に与えて冷却する。一方、熱交換作用により、発生した熱を水循環路１１ａで吸収し、水循環路１１より放熱パッド部６近傍の水循環路１１ｂに転送し、パッド９より腰部に放熱する。【選択図】      図２
2005323716.tif 000002
【特許請求の範囲】
【請求項１】
生体の冷点を冷却するための冷却素子を含む冷却部と、前記冷却素子に通電し、冷却素子の熱交換作用により、前記冷点を冷却させる制御部と、を備えることを特徴とする冷点刺激装置。
【請求項２】
前記冷却素子の熱交換作用により発生する熱を転送する転送手段と、この転送される熱を生体の所望の部位より放熱する放熱部とを備えることを特徴とする請求項１記載の冷点刺激装置。
【請求項３】
前記熱転送手段は、発生した熱により緩められる水を循環する循環路及びポンプとからなるものであることを特徴とする請求項２記載の冷点刺激装置。
【請求項４】
前記冷却部及び放熱部は、被服の裏面に一体的に形成され、被服を装着した状態で冷却部は冷点に、放熱部は放熱所要部に対面する位置に配備したことを特徴とする請求項２又は請求項３記載の冷点刺激装置。
【発明の詳細な説明】
【技術分野】
【０００１】
この発明は、人体のダイエットに好適な冷点刺激装置に関する。
【背景技術】
【０００２】
一般に、人体には環境温度が下がると体温を一定に保つためにエネルギーを消費し、体温を上昇させる機能（メカニズム）があることが知られている。このメカニズムを利用し、人体の寒冷刺激を感知する冷点を市販の冷シップを貼って、その部位の温度を下げ、エネルギーを消費させてダイエットを行うことが知られている。また、はさみ具などの治具を用いてつぼを刺激し、ダイエットを行う技術が開示されている（例えば、特許文献１参照）。
【特許文献１】登録実用新案第３０３３７８０号公報
【発明の開示】
【発明が解決しようとする課題】
【０００３】
上記した冷シップを貼ってダイエットを行う方法は、冷シップを定期的に交換する必要があり、交換が面倒なため、継続するのが難しいという問題がある。また、上記特許文献１に記載の技術は、つぼに治具を装着してダイエットを行うものであるが、冷却手段をつぼに装着する技術を開示するものではない。
【０００４】
この発明は上記問題点に着目してなされたものであって面倒を感ずることなく、寒冷刺激を定量的、持続的に与え得る冷点刺激装置を提供することを目的としている。
【課題を解決するための手段】
【０００５】
この発明の冷点刺激装置は、生体の冷点を冷却するための冷却素子を含む冷却部と、前記冷却素子に通電し、冷却素子の熱交換作用により、前記冷点を冷却させる制御部と、を備えている。
【０００６】
この冷点刺激装置においては、制御部よりの所定のタイミングによる通電制御により、冷却素子による冷点への刺激を定量的、継続的に行うことができる。
【０００７】
この発明の冷点刺激装置は、更に、前記冷却素子の熱交換作用により発生する熱を転送する転送手段と、この転送される熱を生体の所望の部位より放熱する放熱部とを備えることができる。
【０００８】
また、この発明の冷点刺激装置において、前記熱転送手段は、例えば発生した熱により緩められる水を循環する循環路及びポンプとからなるものである。
【０００９】
また、この発明の冷点刺激装置において、前記冷却部及び放熱部は、被服の裏面に一体的に形成され、被服を装着した状態で冷却部は冷点に、放熱部は放熱所要部に対面する位置に配備すると良い。
【発明の効果】
【００１０】
この発明によれば、生体の冷点に冷却素子を装着し、制御部より通電を所定のタイミング順序で行うことができるので、冷点刺激を定量的、持続的に行うことができる。
【００１１】
また、冷却部、放熱部を被服の裏に一体的に装着することにより、被服を着る（装着）のみで冷却部及び放熱部を目的とする箇所に装着することができる。
【発明を実施するための最良の形態】
【００１２】
以下、実施の形態により、この発明を更に詳細に説明する。図１は、この発明の一実施形態である冷点刺激ダイエット装置１の基本構成を示す概略斜視図である。この実施形態冷点刺激ダイエット装置１は、パッド部２と、制御装置３とから構成されている。
【００１３】
パッド部２は、パッド基体４と、このパッド基体４と付設される背中冷却パッド部５と、腰部放熱パッド部６とから構成されている。図２は、パッド部２と制御装置３の内部構成の概略を示す図である。冷却パッド部５は、背中に密着するためのパッド７とペルチェ素子（冷却素子）８とを有する。腰部放熱パッド部６は、腰部に密着するためのパッド９と温度センサ１０とを有する。パッド基体４内には水循環路１１を有する。
【００１４】
制御装置３内には、制御部１２と、ポンプ１３と、この制御部１２及びポンプ１３駆動用の電池１４を有する。水循環路１１は、パイプ１５ａ、１５ｂによって、ポンプ１３に接続され、制御部１２はケーブル１６によって、ペルチェ素子温度センサ１０等と接続されている。ポンプ１３の駆動により、水循環路１１内の水が循環する。
【００１５】
図３は、制御回路を示すブロック図である。ＣＰＵ２１及びメモリ２２は、制御部１２に含まれる回路部であり、ＣＰＵ２１からの制御指令により、温度センサ１０からの検出温度を取り込み、ペルチェ素子への通電及びポンプ１３のＯＮ／ＯＦＦを適宜制御する。
【００１６】
次に、この実施形態冷点刺激ダイエット時の使用時の動作を説明する。使用に際しては、パッド部２を図示外のベルトを用いて、冷却パッド部５が背中に、腰部放熱パッド部６が腰部に対応配置されるように装着する。
【００１７】
制御装置３の動作スイッチがオンされると、ペルチェ素子８への通電が開始されるとともに、ポンプ１３をオンする。ペルチェ素子８への通電は連続的、あるいは間欠的、又はその組み合わせであっても良い。ペルチェ素子８への通電により、ペルチェ素子８の熱交換作用により、パッド７を介して、背中の冷点に冷却がなされる。このペルチェ素子８への通電制御により、パッド７の背中に接した部分への温度をダイエットに適した温度に冷却する。この冷却作用により、生体は体温を所定の温度まで戻すよう脂肪分を燃焼させるので、ダイエット効果が果たされる。また、熱交換作用により、発生した熱はパッド７とは反対側のパッド基体４へ向けて放出される。この熱は、冷却パッド部５近傍の水循環路１１ａで吸収され、吸収された熱はポンプ１３の動作により、水循環路１１内を転送され、放熱パッド部６に至る。この放熱パッド部６の近傍の水循環路１１ｂより、熱がパッド９を介して生体腰部に与えられ、熱交換により発生した熱がここで放出される。この熱放出部は、加温しても良いところであればどこでも良いので、この実施形態では腰部としている。冷点の冷却により、脂肪が燃焼し、体温が上昇すると、その温度は温度センサ１０より制御部１２に取り込まれる。制御部１２では、この温度センサ１０による検出温度の上昇度合いにより、ペルチェ素子８の駆動を制御し、冷点の温度が適性となるようフィードバック制御する。この温度センサ１０による体温検出は、本発明では必ずしも行う必要はないが、検出体温をフィードバック制御することによって、冷点の冷却をより適性にでき、ダイエット効果を上げることができる。
【００１８】
なお、上記実施形態では、パッド部２を背中及び腰部に装着するのに、ベルト等を用いることを想定して説明したが、より容易に装着するために図４に示すような被服（ジャケット）３１を用意し、この被服３１の外側のポケット３２に制御装置３を収納し、一方パッド部２を図５に示すように、被服３１の裏側に一体的に装着し、使用時にこの被服３１を身につけると良い。この被服３１を身につける（着る）と、冷却パッド部５は背中の冷点に、放熱パッド部６は腰部に配置され、冷却パッド部５及び放熱パッド部６の生体の目的とする位置への装着が容易にできる。
【図面の簡単な説明】
【００１９】
【図１】この発明の一実施形態である冷点刺激ダイエット装置の基本構成を示す概略斜視図である。
【図２】同実施形態冷点刺激ダイエット装置のパッド部及び制御装置の内部構成を示す概略図である。
【図３】同実施形態冷点刺激ダイエット装置の回路構成を示すブロック図である。
【図４】この発明の冷点刺激ダイエット装置を裏地に装着する被服の外観を示す図である。
【図５】同被服の前部を用いて、裏部の概観を示す図である。
【符号の説明】
【００２０】
１            冷点刺激ダイエット装置
２            パッド部
３            制御装置
４            パッド基体
５            冷却パッド部
６            腰部放熱パッド部
７、９        パッド
８            ペルチェ素子
１０          温度センサ
１１          水循環路
１２          制御部
１３          ポンプ
１４          電池
【図１】
2005323716.tif 000003
【図２】
2005323716.tif 000004
【図３】
2005323716.tif 000005
【図４】
2005323716.tif 000006
【図５】
2005323716.tif 000007